(57)【要約】【課題】  浚渫装置用のポンプに係り、設置位置を深くすることなく、広範囲の砂を液状化させてサンドポケットの大きさを拡大することができる浚渫用ポンプを提供することである。【解決手段】  上側に折り曲げられた先端部２にエジェクタノズル３を備えた高圧水噴射パイプ４と、前記エジェクタノズル３が吸引口５の近傍に位置し、この吸引口５内への高圧水の噴射によって周囲の土砂水を吸い込んで配送する排砂管６と、前記吸引口の下方に位置した環状の噴流パイプ７とから構成され、該噴流パイプには吸引口に向かって設置されたジェットノズル１８が適宜間隔ごとに設けられている浚渫用ポンプ１とするものである。【選択図】図１
2011021478.tif 000002
【特許請求の範囲】
【請求項１】
上側に折り曲げられた先端部にエジェクタノズルを備えた高圧水噴射パイプと、前記エジェクタノズルが吸引口の近傍に位置し、この吸引口内への高圧水の噴射によって周囲の土砂水を吸い込んで配送する排砂管と、前記吸引口の下方に位置した環状の噴流パイプとから構成され、該噴流パイプには吸引口に向かって設置されたジェットノズルが適宜間隔ごとに設けられていること、
を特徴とする浚渫用ポンプ。
【請求項２】
上側に折り曲げられた先端部にエジェクタノズルを備えた高圧水噴射パイプと、前記エジェクタノズルが吸引口の近傍に位置し、この吸引口内への高圧水の噴射によって周囲の土砂水を吸い込んで配送する排砂管と、前記吸引口の下方に先端部を配置した給水管と、該吸水管の先端部からエジェクタノズルの真下に伸びた噴流パイプとから構成され、該噴流パイプには多方向に向いてジェットノズルが設けられていること、
を特徴とする浚渫用ポンプ。
【発明の詳細な説明】
【技術分野】
【０００１】
本発明は浚渫用ポンプに関するものである。
【背景技術】
【０００２】
従来の浚渫用ポンプ６０は、図６に示すように、Ｕ字状に折り曲げられた先端部６１にエジェクタノズル６２を備えた高圧水噴射パイプ６３と、前記エジェクタノズル６２が吸引口６４の近傍に位置し、この吸引口６４内への高圧水の噴射によって周囲の土砂水（スラリー）を吸い込んで配送する排砂管６５と、前記吸引口６４の下方に、攪拌用のジェットノズル６６を下側に備えた噴流パイプ６７が水平状に設置されて構成されていた。
【０００３】
また浚渫装置６８は、図７に示すように、砂が堆積した箇所に設置された桟橋６９から海底の堆砂部７０に直線状に複数の浚渫用ポンプ７１が吊り下げられ、該浚渫用ポンプ７１に、高圧水を圧送する給水管７２と、採取した土砂水を排出する排砂管７３とが接続されて構成されていた。また、この他の浚渫用ポンプおよび浚渫装置としては、例えば特開２００２−２６６３６９号公報の発明がある。
【先行技術文献】
【特許文献】
【０００４】
【特許文献１】特開２００２−２６６３６９号公報
【発明の概要】
【発明が解決しようとする課題】
【０００５】
しかし、上記のような浚渫用ポンプ６０は噴流パイプ６７が水平状に設置され、その下
側に攪拌用のジェットノズル６６が設置されたため、サンドポケット内への漂砂の流入が
少なくなって攪拌がうまく行われずに効率的な吸い込みができないという問題があった。
この問題の解決方法としては、浚渫用ポンプの設置位置を深くすることなく（浚渫用ポン
プの設置位置を深くすると排出管に送る水圧を上げるため電気代などがかかり効率が悪く
なる）、サンドポケットの大きさを拡大させて砂の採取可能量を増大させることと、広範
囲の砂を液状化（噴流パイプのジェットノズルからの高圧水の噴射によって砂を噴き上げること）させてサンドポケットの大きさを拡大することとがある。
【０００６】
本発明は上記のような問題に鑑みてなされたものであり、その目的は、設置位置を深く
することなく、広範囲の砂を液状化させてサンドポケットの大きさを拡大することができ
る浚渫用ポンプを提供することである。
【課題を解決するための手段】
【０００７】
本発明の浚渫用ポンプの要旨は、上側に折り曲げられた先端部にエジェクタノズルを備えた高圧水噴射パイプと、前記エジェクタノズルが吸引口の近傍に位置し、この吸引口内への高圧水の噴射によって周囲の土砂水を吸い込んで配送する排砂管と、前記吸引口の下方に位置した環状の噴流パイプとから構成され、該噴流パイプには吸引口に向かって設置されたジェットノズルが適宜間隔ごとに設けられていることである。
【０００８】
本発明の浚渫用ポンプの要旨は、上側に折り曲げられた先端部にエジェクタノズルを備えた高圧水噴射パイプと、前記エジェクタノズルが吸引口の近傍に位置し、この吸引口内への高圧水の噴射によって周囲の土砂水を吸い込んで配送する排砂管と、前記吸引口の下方に先端部を配置した給水管と、該吸水管の先端部からエジェクタノズルの真下に伸びた噴流パイプとから構成され、該噴流パイプには多方向に向いてジェットノズルが設けられていることである。
【発明の効果】
【０００９】
環状にした噴流パイプにジェットノズルを設けた（三次元的な位置）ことにより、浚渫によって形成されるサンドポケットの底面積が広がるので、その要量が大きくなる。このようにサンドポケットが大きくなると、同じエネルギーで浚渫しても、多くの砂を広範囲に浚渫することが可能になるので効率的な浚渫をすることができる。またジェットノズルが吸引口に向かって設置されたことにより、噴流パイプの周辺の土砂水をスムーズに吸引口内へ吸い込むことができる。また噴流パイプを下側に伸ばして多方向に向いたジェットノズルを設けたことにより、サンドポケットの液状化範囲が拡大できるので、サンドポケットを大きくすることができる。
【図面の簡単な説明】
【００１０】
【図１】第１の実施の形態の浚渫用ポンプの断面図である。
【図２】第１の実施の形態の浚渫用ポンプの斜視図である。
【図３】サンドポケットの概念図である。
【図４】第２の実施の形態の浚渫用ポンプの正面図である。
【図５】サンドポケットの概念図である。
【図６】従来の浚渫用ポンプの斜視図である。
【図７】従来の浚渫装置であり、（１）は断面図、（２）は平面図、（３）および（４）はサンドポケットの断面図である。
【発明を実施するための形態】
【００１１】
以下、本発明の浚渫用ポンプの実施の形態を図面に基づいて説明する。はじめに、浚渫用ポンプについて説明し、その後に、この浚渫用ポンプを使用した浚渫装置について説明するが、各実施の形態において同じ構成は同じ符号を付して説明し、異なった構成にのみ異なった符号を付して説明する。
【実施例】
【００１２】
図１および図２は、第１の実施の形態の浚渫用ポンプ１を示したものである。この浚渫用ポンプ１は、Ｕ字形に折り曲げられた先端部２にエジェクタノズル３を備えた高圧水噴射パイプ４と、前記エジェクタノズル３が吸引口内５に位置し、この吸引口内５への高圧水の噴射によって周囲の水を吸い込む吸引パイプ６と、上記エジェクタノズル３と吸引口５との下方に位置した環状の噴流パイプ７とから構成されている。
【００１３】
この高圧水噴射パイプ４と噴流パイプ７とは吸引パイプ６を挟むような箇所に対向設置され、これらが二本の連結材８で接続されている。また、この高圧水噴射パイプ４と噴流パイプ７には途中で二つに分岐した給水管９が接続され、該給水管９に設置された遠心ポンプ１０によってが高圧水が給水されるようになっている。
【００１４】
また土砂水を圧送する排砂管６は横移動用の樋１１に接続され、この樋１１がスラリー
ピット１３に接続されている。またＵ字状に折り曲げられて上側を向いた高圧水噴射パイ
プの先端部２が吸引パイプ６の真下に位置し、先端のエジェクタノズル３が吸引パイプ６
のスカート部１４における吸引口５内に位置している。このスカート部１４はのど部１５
を介して拡散部１６に接続され、その内側には、下側が広くかつ上側に向かって狭く形成
された吸引部１７が取外自在に設置されている。
【００１５】
一方、吸引口５の下側に位置した噴流パイプ７は平面円形の環状に形成され、分岐した
一方の給水管９が接続されている。また噴流パイプ７は環状の中心点と吸引口５の中心点
とが一致したジェットノズル１８が吸引口５に向かってに設置されて攪拌された砂が吸引
口５側に噴き上げられるようになっている。このジェットノズル１８は噴流パイプ７の内
周面における同心円上ではなく、上下方向にずらして設けることもできる。
【００１６】
したがって、高圧水噴射パイプ４に給水管９から遠心ポンプ１０で高圧水が給水される
と、これがエジェクタノズル３から吸引口５に噴流され、この噴流によりスカート部１４
内が負圧となって周りの水が吸引口５から吸い込まれる。一方、噴流パイプ７に給水管９
から遠心ポンプ１０で高圧水が給水されると、これが噴流パイプ７のジェットノズル１８
から吸引口５側に噴流されて砂などを噴き上げて、吸引口５から吸い込まれる。そして、
この吸引口５から吸い込まれた土砂水は排砂管６を通して上方の樋１１まで上げられ、こ
れを通してスラリーピット１３に送られ、ここから圧送ポンプ１２によって所定の場所ま
でに配送される。
【００１７】
また図３は、この浚渫用ポンプ１の浚渫によって形成されたサンドポケット１９、２０
を示したものであり、通常の浚渫用ポンプを海底地盤から１０ｍの深さに設置して安息角
が４５゜の場合、サンドポケット１９の容量は１，０４７ｍ３になる。しかし、この状態
から堆積砂の液状化範囲を浚渫用ポンプ１で直径にして１ｍ増加させた場合、サンドポケ
ット２０の容量は１，２１２ｍ３に増加する。このときエジェクタノズル３の設置深さは
変わらないので、基本的に供給エネルギーを変えることなく浚渫の効率を上げることがで
きる。
【００１８】
なお、噴流パイプ７は、上記のように平面円形に限らず、楕円形、多角形のいずれであ
ってもよい。
【００１９】
また図４は、第２の実施の形態の浚渫用ポンプ２１を示したものである。この浚渫用ポ
ンプ２１は、Ｌ字形の給水管９の先端部に噴流パイプ７を下側に伸ばし、ここに複数の方
向に向いたジェットノズル１８を設けたものであり、これ以外は上記の第１の実施の形態
の浚渫用ポンプ１と同じ構成である。この噴流パイプ７の中心軸とエジェクタノズル３の
中心点とを一致させて垂直状で真下に設けたので、サンドポケットの深さを容易に拡大することができる。またジェットノズル１８は下方き、上向き、斜め上向きおよび横向きなどの様々な方向を向いて設置されているため、堆積砂の液状化を効果的に行うことができる。
【００２０】
また図５は、上記の浚渫用ポンプ２１の浚渫によって形成されたサンドポケット２２、
２３を示したものであり、通常の浚渫用ポンプを海底地盤から１０ｍの深さに設置して安
息角が４５゜の場合、サンドポケット２２の容量は１，０４７ｍ３になる。しかし、この
状態から堆積砂の液状化範囲を浚渫用ポンプ２１で深さにして１ｍ増加させた場合、サン
ドポケット２３の容量は１，３９４ｍ３に増加する。このときエジェクタノズル３の設置
深さは変わらないので、基本的に供給エネルギーを変えることなく浚渫の効率を上げるこ
とができる。
【符号の説明】
【００２１】
１、２１、６０、７１        浚渫用ポンプ、
２、６１                    先端部、
３、６２                    エジェクタノズル、
４、６３                    高圧水噴射パイプ、
５、６４                    吸引口、
６、６５、７３              排砂管、
７、６７                    噴流パイプ、
８                          連結材、
９、７２                    給水管、
１０                        遠心ポンプ、
１１                        樋、
１２                        ポンプ、
１３                        スラーリピット、
１４                        スカート部、
１５                        のど部、
１６                        拡散部、
１７                        吸引部、
１８、６６                  ジェットノズル、
１９、２０、２２、２３、７４      サンドポケット、
６９                        桟橋、
７０                        堆砂部、
７６                        幅の広い部分。
【図１】
2011021478.tif 000003
【図２】
2011021478.tif 000004
【図３】
2011021478.tif 000005
【図４】
2011021478.tif 000006
【図５】
2011021478.tif 000007
【図６】
2011021478.tif 000008
【図７】
2011021478.tif 000009